【手続補正書】
【提出日】平成30年7月13日(2018.7.13)
【手続補正１】
【補正対象書類名】特許請求の範囲
【補正対象項目名】全文
【補正方法】変更
【補正の内容】
【特許請求の範囲】
【請求項１】
少なくとも、撮像された画像のうち人物の顔に所定の補正を加える第一の撮影モード、または、前記第一の撮影モードとは異なる第二の撮影モードを選択可能な撮影モード選択手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記第一の撮影モードの場合には被写体の明るさが第一の明るさよりも暗い場合に前記補助光を発光させ、前記第一の明るさよりも明るい場合には前記補助光を発光せず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項２】
少なくとも、近距離で人物を撮影するための第一の撮影モード、または、前記第一の撮影モードとは異なる第二の撮影モードを選択可能な撮影モード選択手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記第一の撮影モードの場合には被写体の明るさが第一の明るさよりも暗い場合に前記補助光を発光させ、前記第一の明るさよりも明るい場合には前記補助光を発光せず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項３】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記検知手段で前記表示部が前記第一の位置にあることを検知したことを含む特定の条件を満たした場合には被写体の明るさが第一の明るさよりも暗い場合に前記補助光を発光させ、前記第一の明るさよりも明るい場合には前記補助光を発光せず、前記特定の条件を満たさない場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項４】
撮像された画像から人物の顔を認識可能な認識手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記認識手段が人物の顔を認識したことを含む特定の条件を満たした場合には被写体の明るさが第一の明るさよりも暗い場合に前記補助光を発光させ、前記第一の明るさよりも明るい場合には前記補助光を発光せず、前記特定の条件を満たさない場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする発光制御装置。
【請求項５】
少なくとも、撮像された画像のうち人物の顔に所定の補正を加える第一の撮影モード、または、前記第一の撮影モードとは異なる第二の撮影モードを選択可能な撮影モード選択手段と、
特定の通知を行うための通知光の発光を被写体側に向けて行う発光手段と、
被写体の明るさが所定の明るさよりも暗い場合に前記通知光の発光を行うように前記発光手段を制御する制御手段であり、
前記第一の撮影モードの場合には被写体の明るさが第一の明るさよりも暗い場合に前記通知光を発光させ、前記第一の明るさよりも明るい場合には前記通知光を発光せず、前記第二の撮影モードの場合に被写体の明るさが前記第一の明るさよりも明るい第二の明るさよりも暗い場合に前記通知光を発光させ、前記第二の明るさよりも明るい場合には前記通知光を発光しないように制御する制御手段と
を有することを特徴とする発光制御装置。
【請求項６】
少なくとも、近距離で人物を撮影するための第一の撮影モード、または、前記第一の撮影モードとは異なる第二の撮影モードを選択可能な撮影モード選択手段と、
特定の通知を行うための通知光の発光を被写体側に向けて行う発光手段と、
被写体の明るさが所定の明るさよりも暗い場合に前記通知光の発光を行うように前記発光手段を制御する制御手段であり、
前記第一の撮影モードの場合には被写体の明るさが第一の明るさよりも暗い場合に前記通知光を発光させ、前記第一の明るさよりも明るい場合には前記通知光を発光せず、前記第二の撮影モードの場合に被写体の明るさが前記第一の明るさよりも明るい第二の明るさよりも暗い場合に前記通知光を発光させ、前記第二の明るさよりも明るい場合には前記通知光を発光しないように制御する制御手段と
を有することを特徴とする発光制御装置。
【請求項７】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段と、
特定の通知を行うための通知光の発光を被写体側に向けて行う発光手段と、
被写体の明るさが所定の明るさよりも暗い場合に前記通知光の発光を行うように前記発光手段を制御する制御手段であり、
前記検知手段で前記表示部が前記第一の位置にあることを検知したことを含む特定の条件を満たした場合には被写体の明るさが第一の明るさよりも暗い場合に前記通知光を発光させ、前記第一の明るさよりも明るい場合には前記通知光を発光せず、前記特定の条件を満たさない場合に被写体の明るさが前記第一の明るさよりも明るい第二の明るさよりも暗い場合に前記通知光を発光させ、前記第二の明るさよりも明るい場合には前記通知光を発光しないように制御する制御手段と
を有することを特徴とする発光制御装置。
【請求項８】
撮像された画像から人物の顔を認識可能な認識手段と、
焦点検出を行う焦点検出手段と、
特定の通知を行うための通知光の発光を被写体側に向けて行う発光手段と、
被写体の明るさが所定の明るさよりも暗い場合に前記通知光の発光を行うように前記発光手段を制御する制御手段であり、
前記認識手段が人物の顔を認識したことを含む特定の条件を満たした場合には被写体の明るさが第一の明るさよりも暗い場合に前記通知光を発光させ、前記第一の明るさよりも明るい場合には前記通知光を発光せず、前記特定の条件を満たさない場合に被写体の明るさが前記第一の明るさよりも明るい第二の明るさよりも暗い場合に前記通知光を発光させ、前記第二の明るさよりも明るい場合には前記通知光を発光しないように制御する制御手段と
を有することを特徴とする発光制御装置。
【請求項９】
少なくとも、撮像された画像のうち人物の顔に所定の補正を加える第一の撮影モード、または、前記第一の撮影モードとは異なる第二の撮影モードを選択可能な撮影モード選択手段と、
焦点検出を行う焦点検出手段と、
前記焦点検出手段による前記焦点検出時に被写体へ向けて補助光の発光を行う発光手段と、
前記第一の撮影モードにおける前記補助光の発光量を、前記第二の撮影モードにおける前記補助光の発光量よりも小さくするように制御する制御手段と
を有することを特徴とする発光制御装置。
【請求項１０】
少なくとも、近距離で人物を撮影するための第一の撮影モード、または、前記第一の撮影モードとは異なる第二の撮影モードを選択可能な撮影モード選択手段と、
焦点検出を行う焦点検出手段と、
前記焦点検出手段による前記焦点検出時に被写体へ向けて補助光の発光を行う発光手段と、
前記第一の撮影モードにおける前記補助光の発光量を、前記第二の撮影モードにおける前記補助光の発光量よりも小さくするように制御する制御手段と
を有することを特徴とする発光制御装置。
【請求項１１】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段と、
焦点検出を行う焦点検出手段と、
前記焦点検出手段による前記焦点検出時に被写体へ向けて補助光の発光を行う発光手段と、
前記検知手段で前記表示部が前記第一の位置にあることを検知したことを含む特定の条件を満たした場合には、前記特定の条件を満たさない場合よりも、前記発光手段による前記補助光の発光量を小さくするように制御する制御手段と
を有することを特徴とする発光制御装置。
【請求項１２】
撮像された画像から人物の顔を認識可能な認識手段と、
焦点検出を行う焦点検出手段と、
前記焦点検出手段による前記焦点検出時に被写体へ向けて補助光の発光を行う発光手段と、
前記認識手段が人物の顔を認識したことを含む特定の条件を満たした場合には、前記特定の条件を満たさない場合よりも、前記発光手段による前記補助光の発光量を小さくするように制御する制御手段と
を有することを特徴とする発光制御装置。
【請求項１３】
少なくとも、撮像された画像のうち人物の顔に所定の補正を加える第一の撮影モード、または、前記第一の撮影モードとは異なる第二の撮影モードを選択可能な撮影モード選択手段と、
特定の通知を行うための通知光の発光を被写体側に向けて行う発光手段と、
前記第一の撮影モードにおける前記通知光の発光量を、前記第二の撮影モードにおける前記通知光の発光量よりも小さくするように制御する制御手段とを有することを特徴とする発光制御装置。
【請求項１４】
少なくとも、近距離で人物を撮影するための第一の撮影モード、または、前記第一の撮影モードとは異なる第二の撮影モードを選択可能な撮影モード選択手段と、
特定の通知を行うための通知光の発光を被写体側に向けて行う発光手段と、
前記第一の撮影モードにおける前記通知光の発光量を、前記第二の撮影モードにおける前記通知光の発光量よりも小さくするように制御する制御手段と
を有することを特徴とする発光制御装置。
【請求項１５】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段と、
特定の通知を行うための通知光の発光を被写体側に向けて行う発光手段と、
前記検知手段で前記表示部が前記第一の位置にあることを検知したことを含む特定の条件を満たした場合には、前記特定の条件を満たさない場合よりも、前記発光手段による前記通知光の発光量を小さくするように制御する制御手段と
を有することを特徴とする発光制御装置。
【請求項１６】
撮像された画像から人物の顔を認識可能な認識手段と、
焦点検出を行う焦点検出手段と、
特定の通知を行うための通知光の発光を被写体側に向けて行う発光手段と、
前記認識手段が人物の顔を認識したことを含む特定の条件を満たした場合には、前記特定の条件を満たさない場合よりも、前記発光手段による前記通知光の発光量を小さくするように制御する制御手段と
を有することを特徴とする発光制御装置。
【請求項１７】
前記所定の補正は、美肌効果をかける補正であることを特徴とする請求項１，５，９，１３のいずれか１項に記載の発光制御装置。
【請求項１８】
前記第一の撮影モードはさらに、近距離で人物を撮影するための撮影モードであることを特徴とする請求項１，５，９，１３、１７のいずれか１項に記載の発光制御装置。
【請求項１９】
少なくとも、撮像された画像のうち人物の顔に所定の補正を加える第一の撮影モード、または、前記第一の撮影モードとは異なる第二の撮影モードを選択可能な撮影モード選択手段を更に有し、前記特定の条件は、前記検知手段で前記表示部が前記第一の位置にあることを検知しており、かつ、前記第一の撮影モードに設定されていることを含むことを特徴とする請求項３、７、１１、１５のいずれか１項に記載の発光制御装置。
【請求項２０】
少なくとも、近距離で人物を撮影するための第一の撮影モード、または、前記第一の撮影モードとは異なる第二の撮影モードを選択可能な撮影モード選択手段を更に有し、前記特定の条件は、前記検知手段が前記表示部で前記表示部が前記第一の位置にあることを検知しており、かつ、前記第一の撮影モードに設定されていることを含むことを特徴とする請求項３、７、１１、１５のいずれか１項に記載の発光制御装置。
【請求項２１】
撮像された画像から人物の顔を認識可能な認識手段を更に有し、
前記特定の条件は、前記検知手段が前記表示部で前記表示部が前記第一の位置にあることを検知しており、かつ、前記第一の撮影モードに設定されており、かつ、前記認識手段で人物の顔を検知していることを含むことを特徴とする請求項１９または２０に記載の発光制御装置。
【請求項２２】
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知手段をさらに有し、
前記制御手段は、前記表示部が前記第一の位置であることが検知されたことに応じて前記第一の撮影モードを選択するように前記撮影モード選択手段を制御することを特徴とする請求項１，２，５，６，９，１０，１３，１４，１７，１８のいずれか１項に記載の発光制御装置。
【請求項２３】
前記通知光は、セルフタイマー撮影の動作状態を通知するためのものであることを特徴とする請求項５乃至８、１３乃至１６のいずれか１項に記載の発光制御装置。
【請求項２４】
前記特定の条件は、前記認識手段により人物の顔を認識しており、かつ、認識された人物の顔が撮像範囲のうち所定以上の大きさであることを含むことを特徴とする請求項４，８，１２，１６のいずれか１項に記載の発光制御装置。
【請求項２５】
前記第一の撮影モードは自分撮りモードであることを特徴とする請求項１，２，５，６，９，１０，１３，１４、１７乃至２２のいずれか１項に記載の発光制御装置。
【請求項２６】
前記第二の撮影モードは、オート撮影モードまたは風景を撮影するための撮影モードであることを特徴とする請求項１，２，５，６，９，１０，１３，１４、１７乃至２２、２５のいずれか１項に記載の発光制御装置。
【請求項２７】
前記第一の撮影モードにおいて前記焦点検出手段が前記焦点検出を行う範囲は、前記第二の撮影モードにおいて前記焦点検出手段が前記焦点検出を行う範囲よりも狭く、かつ近距離側であることを特徴とする請求項１，２，５，６，９，１０，１３，１４、１７乃至２２，２５，２６のいずれか１項に記載の発光制御装置。
【請求項２８】
前記発光手段はさらに赤目現象を軽減するための発光を行うことが可能であり、
前記制御手段は、前記第一の撮影モードにおいても、前記第二の撮影モードにおいても前記赤目現象を軽減するための発光を同じ発光量で行うように制御することを特徴とする請求項１，２，５，６，９，１０，１３，１４、１７乃至２２、２５乃至２７のいずれか１項に記載の発光制御装置。
【請求項２９】
前記制御手段は、前記第一の明るさより暗いことに基づいて前記補助光を発光する場合の発光量を、前記第二の明るさより暗いことに基づいて前記補助光を発光する場合の発光量よりも小さくするように制御することを特徴とする請求項１乃至４のいずれか１項に記載の発光制御装置。
【請求項３０】
前記制御手段は、前記第一の明るさより暗いことに基づいて前記通知光を発光する場合の発光量を、前記第二の明るさより暗いことに基づいて前記通知光を発光する場合の発光量よりも小さくするように制御することを特徴とする請求項５乃至８のいずれか１項に記載の発光制御装置。
【請求項３１】
焦点検出時に被写体へ向けて補助光の発光を行う発光手段を有する発光制御装置の制御方法であって、
少なくとも、撮像された画像のうち人物の顔に所定の補正を加える第一の撮影モード、または、前記第一の撮影モードとは異なる第二の撮影モードを選択可能な撮影モード選択ステップと、
被写体の明るさが所定の明るさよりも暗い場合に前記補助光の発光を行うように前記発光手段を制御する制御ステップであり、
前記第一の撮影モードの場合には被写体の明るさが第一の明るさよりも暗い場合に前記補助光を発光させ、前記第一の明るさよりも明るい場合には前記補助光を発光せず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項３２】
焦点検出時に被写体へ向けて補助光の発光を行う発光手段を有する発光制御装置の制御方法であって、
少なくとも、近距離で人物を撮影するための第一の撮影モード、または、前記第一の撮影モードとは異なる第二の撮影モードを選択可能な撮影モード選択ステップと、
被写体の明るさが所定の明るさよりも暗い場合に前記補助光の発光を行うように前記発光手段を制御する制御ステップであり、
前記第一の撮影モードの場合には被写体の明るさが第一の明るさよりも暗い場合に前記補助光を発光させ、前記第一の明るさよりも明るい場合には前記補助光を発光せず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項３３】
焦点検出時に被写体へ向けて補助光の発光を行う発光手段を有する発光制御装置の制御方法であって、
当該発光制御装置の本体部に対して回転可能な表示部の前記本体部に対する位置が、少なくとも、前記表示部の表示方向が撮像手段の撮像方向と同じ方向になる第一の位置、または、前記表示部の表示方向が前記撮像手段の撮像方向と異なる方向になる第二の位置のいずれであるかを検知可能な検知ステップと、
被写体の明るさが所定の明るさよりも暗い場合に前記補助光の発光を行うように前記発光手段を制御する制御ステップであり、
前記検知ステップが前記表示部が前記第一の位置にあることを検知したことを含む特定の条件を満たした場合には被写体の明るさが第一の明るさよりも暗い場合に前記補助光を発光させ、前記第一の明るさよりも明るい場合には前記補助光を発光せず、前記特定の条件を満たさない場合に被写体の明るさが前記第一の明るさよりも明るい第二の明るさよりも暗い場合に前記補助光を発光させ、前記第二の明るさよりも明るい場合には前記補助光を発光しないように制御する制御ステップと
を有することを特徴とする発光制御装置の制御方法。
【請求項３４】
コンピュータを、請求項１乃至３０のいずれか１項に記載された発光制御装置の各手段として機能させるためのプログラム。
【請求項３５】
コンピュータを、請求項１乃至３０のいずれか１項に記載された発光制御装置の各手段として機能させるためのプログラムを格納したコンピュータが読み取り可能な記録媒体。
【手続補正２】
【補正対象書類名】明細書
【補正対象項目名】０００６
【補正方法】変更
【補正の内容】
【０００６】
上記目的を達成するために、本発明の発光制御装置は、
少なくとも、撮像された画像のうち人物の顔に所定の補正を加える第一の撮影モード、または、前記第一の撮影モードとは異なる第二の撮影モードを選択可能な撮影モード選択手段と、
焦点検出を行う焦点検出手段と、
前記焦点検出手段による前記焦点検出時に被写体へ向けて補助光の発光を行う発光手段と、
被写体の明るさが所定の明るさよりも暗い場合に前記補助光の発光を行うように前記発光手段を制御する制御手段であり、
前記第一の撮影モードの場合には被写体の明るさが第一の明るさよりも暗い場合に前記補助光を発光させ、前記第一の明るさよりも明るい場合には前記補助光を発光せず、前記第二の撮影モードの場合に被写体の明るさが前記第一の明るさよりも明るい第二の明るさよりも暗い場合に前記補助光を発光させ、前記第二の明るさよりも明るい場合には前記補助光を発光しないように制御する制御手段と
を有することを特徴とする。